(57)【要約】      （修正有）【課題】識別コードに基づく処理を実行させたいユーザの意思を速やかに反映しやすい画像処理装置を提供すること。【解決手段】ＣＰＵは、ＭＦＰの操作パネル１２において、識別コードキー６６の押下に応じた信号が入力されると、識別コード処理を開始する。また、スタートキー６５の押下に応じた信号が入力されると、例えばコピー処理などの、読取画像データの後処理を実行する。このため、ユーザは、識別コード処理を実行させたい場合には、識別コードキー６６を押下すれば良い。識別コード処理を実行させたいユーザの意思を速やかに反映しやすいＭＦＰとすることができる。【選択図】図２
2018170566.tif 000002
【特許請求の範囲】
【請求項１】
筐体と、
原稿を読み取る読取部と、
前記筐体の外部へ画像データを出力する画像出力部と、
前記筐体の外面に設けられる第１キーと、
前記筐体の外面に設けられる第２キーと、
制御部と、を備え、
前記制御部は、
前記第１キーを介した信号が入力されると、
前記読取部に読み取らせて生成される画像データから識別コードを検出するコード検出処理と、
前記コード検出処理にて検出した前記識別コードをデコードするデコード処理と、
前記デコード処理により生成された識別コード情報によって特定される画像データを前記画像出力部に出力させる第１出力処理と、を実行し、
前記第２キーを介した信号が入力されると、
前記読取部に読み取らせて生成される画像データを前記画像出力部に出力させる第２出力処理を実行することを特徴とする画像処理装置。
【請求項２】
前記筐体の外面において、前記第１キーからの距離が前記第１キーの径よりも短くなる位置に、前記デコード処理を実行するキーであることを示す情報が記載されていることを特徴とする請求項１に記載の画像処理装置。
【請求項３】
前記筐体の外面において、前記第２キーからの距離が前記第２キーの径よりも短くなる位置に、前記第２出力処理を実行するキーであることを示す情報が記載されていることを特徴とする請求項２に記載の画像処理装置。
【請求項４】
前記第１キーは、前記第２キーと異なる態様を有することを特徴とする請求項１乃至請求項３の何れかに記載の画像処理装置。
【請求項５】
前記態様は色であることを特徴とする請求項４に記載の画像処理装置。
【請求項６】
筐体と、
原稿を読み取る読取部と、
前記筐体の外部へ画像データを出力する画像出力部と、
前記筐体の外面に設けられる操作部と、
前記筐体に設けられるキーと、
制御部と、を備え、
前記制御部は、
前記操作部を介した信号が未入力である間に前記キーを介した信号が入力されると、
前記読取部に読み取らせて生成される画像データから識別コードを検出するコード検出処理と、
前記コード検出処理にて検出した前記識別コードをデコードするデコード処理と、
前記デコード処理により生成された識別コード情報によって特定される画像データを前記画像出力部に出力させる第１出力処理と、を実行し、
前記操作部を介した信号が入力されている間に、前記キーを介して信号が入力されると、
前記読取部に読み取らせて生成される画像データを前記画像出力部に出力させる第２出力処理を実行することを特徴とする画像処理装置。
【請求項７】
前記画像出力部は、画像データに基づく画像をシートに印刷する印刷部と、画像データを前記筐体の外部の機器に送信する送信部と、を有し、
前記操作部は、コピーを実行する第１設定を示す情報と、前記読取部に読み取らせて生成される画像データを前記機器に送信する第２設定を示す情報とを表示可能なタッチパネルを有し、
前記制御部は、
前記操作部を介して入力された信号であって前記第１設定に対応する信号が入力されている間に、前記キーを介して信号が入力されると、前記読取部に読み取らせて生成される画像データを前記印刷部に出力させ、
前記操作部を介して入力された信号であって前記第２設定に対応する信号が入力されている間に、前記キーを介して信号が入力されると、前記読取部に読み取らせて生成される画像データを前記送信部に出力させることを特徴とする請求項６に記載の画像処理装置。
【請求項８】
前記識別コード情報は、プログラムであり、
前記制御部は、前記第１出力処理を実行することを特徴とする請求項１乃至請求項７の何れかに記載の画像処理装置。
【請求項９】
前記識別コード情報は、アクセス情報であり、
前記制御部は、
前記アクセス情報に従ってアクセスしたメモリに記憶されているプログラムに従って、前記第１出力処理を実行することを特徴とする請求項１乃至請求項７の何れかに記載の画像処理装置。
【請求項１０】
前記筐体に設けられ、画像を表示する表示部を備え、
前記制御部は、
前記デコード処理の実行後、前記識別コード情報の内容を判断する第１判断処理と、
前記第１判断処理において、前記識別コード情報の内容がプログラムであると判断した場合、前記識別コード情報の内容がプログラムである旨を前記表示部に表示させる第１表示処理と、
前記第１表示処理にて表示したプログラムの実行の可否の指示の入力を促す第１可否指示処理と、
を実行することを特徴とする請求項８に記載の画像処理装置。
【請求項１１】
前記筐体に設けられ、画像を表示する表示部を備え、
前記制御部は、
前記デコード処理の実行後、前記識別コード情報の内容を判断する第１判断処理と、
前記第１判断処理において、前記識別コード情報の内容が、前記アクセス情報であると判断した場合には、前記識別コード情報の内容が前記アクセス情報である旨を前記表示部に表示させる第２表示処理と、
前記第２表示処理にて表示した前記アクセス情報に基づき前記メモリへのアクセスの実行の可否の指示の入力を促す第２可否指示処理と、を実行することを特徴とする請求項９に記載の画像処理装置。
【請求項１２】
前記制御部は、前記コード検出処理において、
前記読取部により読み取られる所定領域のうち、予め設定された領域を識別コード検出領域として受け付けることを特徴とする請求項１乃至請求項１１の何れかに記載の画像処理装置。
【請求項１３】
前記制御部は、前記コード検出処理において、
前記識別コード検出領域に対して、前記識別コードを検出することを特徴とする請求項１２に記載の画像処理装置。
【請求項１４】
前記制御部は、
前記コード検出処理において検出された前記識別コードは複数であるか否かを判断する第２判断処理と、
前記第２判断処理において、前記識別コードは複数であると判断した場合、前記コード検出処理において検出された複数の前記識別コードから何れか１つを選択させる選択処理と、を実行し、
前記デコード処理において、前記選択処理において選択された前記識別コードをデコードすることを特徴とする請求項１乃至請求項１１の何れかに記載の画像処理装置。
【請求項１５】
前記制御部は、前記選択処理において、
前記コード検出処理にて検出された前記複数の識別コードの原稿における位置を示し、前記複数の識別コードの原稿における位置の何れか１つの選択を促すことを特徴とする請求項１４に記載の画像処理装置。
【請求項１６】
前記制御部は、
前記コード検出処理において検出された前記識別コードは複数であるか否かを判断する第２判断処理を実行し、
前記第２判断処理において、前記識別コードは複数であると判断した場合、前記デコード処理において、複数の前記識別コードの各々をデコードし、
前記デコード処理により生成された複数の前記識別コード情報の各々の内容を判断する第３判断処理を実行し、
前記第３判断処理において判断した前記複数の識別コード情報の内容を示し、前記複数の識別コード情報の内容の何れか１つの選択させる選択処理を実行し、
前記選択処理にて選択された前記複数の識別コード情報の何れか１つに基づいて前記第１出力処理を実行すること
を特徴とする請求項１乃至請求項１１の何れかに記載の画像処理装置。
【請求項１７】
前記筐体に設けられ、画像を表示する表示部と、
前記読取部が読み取り可能に原稿を支持する原稿台と、を備え、
前記制御部は、前記コード検出処理において、
前記読取部により読み取られる所定領域のうち、予め設定された識別コード検出位置に前記識別コードが位置するように原稿の前記原稿台への載置を促すメッセージと、前記読取部の読み取りの開始指示を受付ける開始キーと、を前記表示部にさせ、
前記開始指示を受付けると、前記読取部の読み取りを開始させることを特徴とする請求項１乃至請求項９の何れかに記載の画像処理装置。
【請求項１８】
情報を報知する報知部を備え、
前記制御部は、
前記コード検出処理において、前記識別コードを検出できなかった場合、前記識別コードを検出できなかった旨を報知部に報知させる報知処理を実行することを特徴とする請求項１乃至請求項１７の何れかに記載の画像処理装置。
【発明の詳細な説明】
【技術分野】
【０００１】
本発明は、画像処理装置に関するものである。
【背景技術】
【０００２】
特許文献１には、操作部からコピー開始指示を与えると、原稿に付加されたバーコード等の識別コードを検出し、識別コードから得られたパス情報からネットワーク経由でオリジナルファイルをダウンロードしてプリント出力する技術が開示されている。
【先行技術文献】
【特許文献】
【０００３】
【特許文献１】特開２００４−１５３６３８号公報
【発明の概要】
【発明が解決しようとする課題】
【０００４】
ユーザが識別コードを付加された原稿を、単に例えばコピーしたい場合においても、操作部からのコピー開始指示が与えられたときはいつでも、識別コードを検出したり、検出した識別コードを用いてプリンタに印刷させたりするような、識別コードに基づく処理が行われてしまうと、使い勝手が良くない。
【０００５】
本願は、上記の課題に鑑み提案されたものであって、識別コードに基づく処理を実行させたいユーザの意思を速やかに反映しやすい画像処理装置を提供することを目的とする。
【課題を解決するための手段】
【０００６】
本明細書は、筐体と、原稿を読み取る読取部と、筐体の外部へ画像データを出力する画像出力部と、筐体の外面に設けられる第１キーと、筐体の外面に設けられる第２キーと、制御部と、を備え、制御部は、第１キーを介した信号が入力されると、読取部に読み取らせて生成される画像データから識別コードを検出するコード検出処理と、コード検出処理にて検出した識別コードをデコードするデコード処理と、デコード処理により生成された識別コード情報によって特定される画像データを画像出力部に出力させる第１出力処理と、を実行し、第２キーを介した信号が入力されると、読取部に読み取らせて生成される画像データを画像出力部に出力させる第２出力処理を実行することを特徴とする画像処理装置を開示する。画像処理装置は、第１キーを介した信号が入力されると、第１出力処理を実行する。このため、ユーザは、識別コードに基づく第１出力処理を実行させたい場合には、第１キーを操作すれば良い。識別コードに基づく第１出力処理を実行させたいユーザの意思を速やかに反映しやすい画像処理装置とすることができる。
【０００７】
また、本明細書は、筐体と、原稿を読み取る読取部と、筐体の外部へ画像データを出力する画像出力部と、筐体の外面に設けられる操作部と、筐体に設けられるキーと、制御部と、を備え、制御部は、操作部を介した信号が未入力である間にキーを介した信号が入力されると、読取部に読み取らせて生成される画像データから識別コードを検出するコード検出処理と、コード検出処理にて検出した識別コードをデコードするデコード処理と、デコード処理により生成された識別コード情報によって特定される画像データを画像出力部に出力させる第１出力処理と、を実行し、操作部を介した信号が入力されている間に、キーを介して信号が入力されると、読取部に読み取らせて生成される画像データを画像出力部に出力させる第２出力処理を実行することを特徴とする画像処理装置を開示する。画像処理装置は、操作部を介した信号が未入力である間にキーを介した信号が入力されると、第１出力処理を実行する。このため、ユーザは、識別コードに基づく第１出力処理を実行させたい場合には、キーを操作すれば良い。識別コードに基づく第１出力処理を実行させたいユーザの意思を速やかに反映しやすい画像処理装置とすることができる。
【発明の効果】
【０００８】
本願に係る画像処理装置によれば、識別コードに基づく処理を実行させたいユーザの意思を速やかに反映しやすい画像処理装置を提供することができる。
【図面の簡単な説明】
【０００９】
【図１】第１実施形態に係るＭＦＰの外観を示す斜視図である。
【図２】第１実施形態に係る操作パネルの外観を示す図である。
【図３】第１実施形態に係るＭＦＰの電気的構成を示すブロック図である。
【図４】第１実施形態に係る識別コード処理の対象となる原稿を説明する図である。
【図５】第１実施形態に係る識別コード処理の処理内容を示すフローチャートである。
【図６】第１実施形態に係る識別コード実行処理の処理内容を示すフローチャートである。
【図７】第１実施形態に係る識別コードを複数検出した場合に表示される表示画面である。
【図８】第１実施形態に係る識別コードの内容がアクセス情報を含む場合のタッチパネルの表示画面の遷移を説明する図である。
【図９】第１実施形態に係る識別コードの内容が処理情報である場合のタッチパネルの表示画面の遷移を説明する図である。
【図１０】第１実施形態の変形例に係る識別コードを複数検出した場合に表示される表示画面である。
【図１１】第２実施形態に係る識別コード処理の処理内容を示すフローチャートである。
【図１２】第２実施形態に係る読取処理実行前に表示される第１形態の表示画面である。
【図１３】第２実施形態に係る読取処理実行前に表示される第２形態の表示画面である。
【図１４】第３実施形態に係る操作パネルの外観を示す図である。
【図１５】別例に係る識別コードの内容を説明する図である。
【発明を実施するための形態】
【００１０】
［第１実施形態］
＜ＭＦＰの構成＞
以下、本願の一実施形態について図面を参照しつつ説明する。ＭＦＰ（Multi Function Peripheral）１０は、印刷機能、コピー機能、スキャナ機能、ＦＡＸ送信機能、ＦＡＸ受信機能、Ｅメール送信機能を備える複合機である。以下の説明において、方向は、図１で示す方向を用いる。図１に示す様に、ＭＦＰ１０は、筐体１１、原稿台カバー２１、ＡＤＦ（Auto Document Feeder）２３、給紙トレイ１７，１８、排紙トレイ１９、操作パネル１２、およびＵＳＢレセプタクル４３などを備えている。筐体１１は略箱型であり、上部に原稿台（不図示）を覆う原稿台カバー２１が設置されている。原稿台カバー２１は後方に不図示の回動軸を有し、上方に回動することができる。ＭＦＰ１０は原稿台の下方にイメージセンサである第１センサ３８１（図３）を備えている。原稿が原稿台に載置された場合には、ＭＦＰ１０は、原稿台が支持する原稿に対して、第１センサ３８１を左から右に移動させて、原稿の一方の面を読み取る。
【００１１】
原稿台カバー２１の左側上面に、ＡＤＦ２３が設置されている。ＡＤＦ２３は、ＡＤＦカバー２３ａ、原稿を搬送するためにモータによって駆動される機構（不図示）およびイメージセンサである第２センサ３８２（図３）などを有している。ＡＤＦカバー２３ａは、右端部に不図示の回動軸を有し、上方に回動することができる。ＡＤＦカバー２３ａは、図１に示す閉位置と、上方に回動し、回転軸から上方に向かってやや傾斜する開位置とに位置することができる。開位置のＡＤＦカバー２３ａは、上面で原稿を支持する。ＡＤＦ２３は、開位置のＡＤＦカバー２３ａが支持する原稿を、開口部（不図示）から取り込み、原稿台の左端部下方で静止している第１センサ３８１に対して原稿を相対的に移動させて、原稿の一方の面を読み取り、原稿を原稿台カバー２１の上面に排出する。
【００１２】
操作パネル１２はタッチパネル４１、テンキー６４（図２）などの操作ボタンなどを有している。操作パネル１２およびＵＳＢレセプタクル４３は筐体１１の前側の外面に設置されている。ＵＳＢレセプタクル４３はＵＳＢ規格のレセプタクルである。尚、図１では、操作パネル１２の一部を省略して示している。
【００１３】
給紙トレイ１７，１８は、筐体１１前面の下側に上下に並んで脱着可能に設置されている。排紙トレイ１９は、筐体１１の前面に対し、内部へ凹んで設置されている。また、筐体１１の内部に、給送部（不図示）、画像形成部３７（図２）、排出部（不図示）が設置されている。給紙トレイ１７または給紙トレイ１８に支持されているシートは、給送部により画像形成部３７に搬送される。画像形成部３７はシートに画像を形成する。排出部は、画像形成したシートを排紙トレイ１９へ排出する。
【００１４】
図２に示すように、操作パネル１２は、タッチパネル４１の他に、メニューキー６２、コピーキー６３、テンキー６４、スタートキー６５、および識別コードキー６６などの操作キーを有している。スタートキー６５および識別コードキー６６は円形状である。操作パネル１２の表面には、スタートキー６５からの距離がスタートキー６５の径よりも短くなる位置に、「スタート」の文字が記載されている。また、操作パネル１２の表面には、識別コードキー６６からの距離が識別コードキー６６の径よりも短くなる位置に、「識別コード」の文字が記載されている。これにより、ユーザは、スタートキー６５および識別コードキー６６を容易に識別することができる。
【００１５】
＜ＭＦＰの電気的構成＞
次に、図３を用いて、ＭＦＰ１０の電気的構成について説明する。ＭＦＰ１０は、図１に示した構成の他に、ＣＰＵ３２、ＲＡＭ３３、ＲＯＭ３４、ＮＶＲＡＭ（不揮発性メモリ）３５、画像形成部３７、画像読取部３８、ＦＡＸ通信部３９、ユーザインターフェース４０、ＵＳＢインターフェース４２、ネットワークインターフェース４４などを備えている。ＲＯＭ３４は、後述する識別コード処理などの処理を実行するためのプログラム、後述する各機能を実現するためのプログラムなどを記憶しており、ＣＰＵ３２は、ＲＯＭ３４から読み出したプログラムに従って、その処理結果をＲＡＭ３３に記憶させながらバス３１で接続されている各部の制御を行う。ＮＶＲＡＭ３５の一部の領域は読取画像記憶領域３５２となっている。読取画像記憶領域３５２には、画像読取部３８が原稿を読み取って生成した読取画像データが記憶される。
【００１６】
画像形成部３７は、例えば印刷ジョブに従って、電子写真方式によりシートにカラーまたはモノクロの画像を印刷する。画像形成部３７は、不図示の、ブラック、シアン、マゼンタ、イエローの４色に対応する４つのプロセスカートリッジ、露光部、転写ローラ、定着部等を有している。プロセスカートリッジの各々は、不図示の、感光体ドラム、現像ローラ、トナー収容室などを有している。露光部は感光体ドラムの表面に静電潜像を形成する。現像ローラは、静電潜像にトナーを供給し、トナー像を形成する。転写ローラは、トナー像をシートに転写する。定着部はトナーをシートに熱定着させる。
【００１７】
画像読取部３８は、第１センサ３８１もしくは第２センサ３８２により、原稿の画像を読み取って読取画像データを生成する。
【００１８】
ＦＡＸ通信部３９は、接続している不図示の電話回線を介して、他のＦＡＸ通信機器との間でＦＡＸデータの送受を行う。ユーザインターフェース４０は、各種の設定画面や装置の動作状態等をタッチパネル４１に表示する。また、ユーザがタッチパネル４１および操作キーに対して行う操作に応じた信号をＣＰＵ３２へ出力する。ＵＳＢインターフェース４２は、ＵＳＢレセプタクル４３に接続されたＵＳＢ対応の記憶媒体に対して、ＵＳＢ規格に沿ったデータの読み出しおよび書き込みを行う。ＵＳＢ対応の記憶媒体とは、例えば、ＵＳＢメモリなどである。ネットワークインターフェース４４は、例えば無線ＬＡＮ通信を行い、無線ＬＡＮに接続されているサーバ５および不図示のＰＣ（Personal Computer）などと通信を行う。また、ネットワークインターフェース４４はインターネットと接続している。これにより、ＭＦＰ１０はＥメールを送信することができる。サーバ５はＷｅｂサーバであり、ＨＴＴＰ（Hypertext Transfer Protocol）に従って、ＸＭＬ（Extensible Markup Language）などで記述されたデータの送受を行う。
【００１９】
印刷機能とは、例えば、ネットワークインターフェース４４を介して例えばＰＣから送信された印刷ジョブ、ＵＳＢインターフェース４２を介してＵＳＢメモリなどから読み出した記録データなどを画像形成部３７によりシートに印刷する機能である。コピー機能とは、例えば、画像読取部３８により生成された読取画像データを画像形成部３７によりシートに印刷する機能である。スキャン機能とは、例えば、画像読取部３８により生成された読取画像データを、ネットワークインターフェース４４を介して例えばＰＣへ送信する機能である。スキャンｔｏＥメール機能とは、例えば、画像読取部３８により生成された読取画像データを、ネットワークインターフェース４４を介して宛先へＥメールとして送信する機能である。ＦＡＸ受信機能とは、ＦＡＸ通信部３９を介して受信したＦＡＸ受信データを画像形成部３７によりシートに印刷する、ネットワークインターフェース４４を介して例えばＰＣへ送信する、ＵＳＢインターフェース４２を介してＵＳＢメモリなどへ書き込む機能である。ＦＡＸ送信機能とは、例えば、画像読取部３８が生成した読取データ、ネットワークインターフェース４４を介して例えばＰＣ６から送信された送信データ、ＵＳＢインターフェース４２を介してＵＳＢメモリなどから読み出した記録データを、ＦＡＸ通信部３９を介して送信する機能である。
【００２０】
以下の説明において、上記の各機能においてＭＦＰ１０により行われる、画像データを、画像形成部３７によりシートに印刷する、ネットワークインターフェース４４を介して送信する、ＵＳＢインターフェース４２を介してＵＳＢメモリなどへ書き込む、ＦＡＸ通信部３９を介して送信するなどの、画像データを筐体１１の外部へ出力する処理を後処理と称する。
【００２１】
ユーザはコピー機能を使用したい場合、原稿を原稿台に載置し、コピーキー６３（図２）を押下した後、スタートキー６５（図２）を押下する。ユーザインターフェース４０はコピーキー６３が押下されると、コピーキー６３の押下に応じた信号をＣＰＵ３２へ出力する。また、ユーザインターフェース４０はスタートキー６５が押下されると、スタートキー６５の押下に応じた信号をＣＰＵ３２へ出力する。ＣＰＵ３２はコピーキー６３の押下に応じた信号が入力されてから、所定時間までにスタートキー６５の押下に応じた信号が入力された場合、設定に従って、コピー処理（第２出力処理の一例）を実行する。詳しくは、画像読取部３８により生成された読取画像データに基づく画像を画像形成部３７によりシートに印刷させる。
【００２２】
＜識別コード処理の概要＞
次に、ＣＰＵ３２が実行する識別コード処理の概要について説明する。図４に示すように、識別コード処理の対象となる原稿２００には、アクセス用識別コードＢＣ１および処理実体識別コードＢＣ２が印刷されている。アクセス用識別コードＢＣ１は１次元コードであり、アクセス情報２０１の一部の情報を有するものである。処理実体識別コードＢＣ２はＱＲコード（登録商標）であり、ＭＦＰ１０が実行する画像データの後処理に関わる処理内容２０２を有する、ＸＭＬ（Extensible Markup Language）で記述されたプログラムがコード化されたものである。処理内容２０２には、例えば、機能の指定、データの出力先、出力するデータ、出力の際のデータ形式などの指定などが含まれる。また、処理内容２０２には、後処理に関わるタッチパネル４１における画面表示の内容などの指定などが含まれる。ユーザは、プログラムに従った処理をＭＦＰ１０に行わせることにより、都度、煩雑な設定を行うことなく、ＭＦＰ１０に所望の後処理を実行させることができる。
【００２３】
アクセス情報２０１と、処理実体識別コードＢＣ２が有する処理内容２０２のプログラムとは、対応付けられている。アクセス情報２０１と処理内容２０２のプログラムとが対応付けられた登録情報はサーバ５に記憶されている。アクセス情報２０１は、アクセス用識別コードＢＣ１がデコードされて生成される識別番号に、ＮＶＲＡＭ３５に記憶されている所定の情報が追加されたものである。追加される情報とは、具体的には、例えば、「http」などの通信プロトコルを指定する情報、「aaa」などのサーバを指定する情報、および、「xml」などのプログラムのデータの形式を指定する情報などである。ＭＦＰ１０は、識別番号から、アクセス情報２０１を生成する。尚、ここでは、「aaa」とはサーバ５を示すものであるとする。
【００２４】
ＭＦＰ１０は原稿２００を読み取り、検出した識別コードが複数である場合、ユーザに識別コードの何れかを選択させる。次に、ＭＦＰ１０は選択された識別コードをデコードする。ＭＦＰ１０は、アクセス用識別コードＢＣ１が選択された場合には、アクセス用識別コードＢＣ１に基づくアクセス情報２０１により、サーバ５からアクセス情報２０１に対応するプログラムを提供され、提供されたプログラムに基づき処理を実行する。一方、処理実体識別コードＢＣ２が選択された場合には、処理実体識別コードＢＣ２をデコードしてされた処理内容２０２を有するプログラムに従って、処理を実行する。
【００２５】
尚、識別コード処理の対象となる原稿は原稿２００に限らない。識別コードが１つ、もしくは、３つ以上印刷されている原稿でも良い。
【００２６】
次に、識別コード処理について説明する。ここでは、原稿２００を例に説明する。ユーザは、原稿台に原稿２００を、規定方向である、原稿の上辺を左として、長辺方向がＭＦＰ１０の左右方向となるように載置し、識別コードキー６６（図２）を押下する。ユーザインターフェース４０は識別コードキー６６が押下されると、識別コードキー６６の押下に応じた信号をＣＰＵ３２へ出力する。ＣＰＵ３２は識別コードキー６６の押下に応じた信号が入力されると、図５に示す識別コード処理を開始する。識別コード処理を開始すると、ＣＰＵ３２は画像読取部３８に画像読取を実行させる（Ｓ１）。詳しくは、ＣＰＵ３２は、画像読取部３８は原稿を読み取らせ、生成された読取画像データを読取画像記憶領域３５２に記憶させる。次に、読取画像データから識別コードを探索する（Ｓ３）。尚、識別コードの探索は、例えば、読取画像データに、識別コードに含まれる特有のパターンが含まれているかを、例えばパターンマッチング技術等を用いて探索するようにしても良い。識別コードに含まれる特有のパターンとは、１次元コードであれば、所定規格に準拠したバーの配列、スタートキャラクタ、ＱＲコードであれば、ファインダパターンなどである。次に、識別コード実行処理を実行する（Ｓ５）。
【００２７】
識別コード実行処理については図６を用いて説明する。識別コード実行処理を開始すると、ＣＰＵ３２は検出した識別コードはあるか否かを判断する（Ｓ１１）。検出した識別コードはないと判断すると（Ｓ１１：ＮＯ）、識別コード処理の実行を指示されたにも関わらず識別コードを検出できなかったため、識別コードが検出できなかった旨のメッセージをタッチパネル４１に表示させ（Ｓ２５）、識別コード実行処理を終了する。一方、検出した識別コードはあると判断すると（Ｓ１１：ＹＥＳ）、ＣＰＵ３２は検出した識別コードは１つだけであるか否かを判断する（Ｓ１３）。識別コードは１つだけであると判断すると（Ｓ１３：ＹＥＳ）、ＣＰＵ３２はステップＳ１９へ進む。一方、検出した識別コードは１つだけでないと判断すると（Ｓ１３：ＮＯ）、ＣＰＵ３２は図７に示す表示画面６７をタッチパネル４１に表示させる（Ｓ１５）。表示画面６７には、検出した複数の識別コードの何れか１つの選択を促すメッセージと、原稿の領域を示す画像６８と、原稿におけるアクセス用識別コードＢＣ１の位置を示す画像６９と、原稿における処理実体識別コードＢＣ２の位置を示す画像７０とが表示される。ユーザは、アクセス用識別コードＢＣ１の位置を示す画像６９もしくは処理実体識別コードＢＣ２の位置を示す画像７０の何れかを選択する。ＣＰＵ３２は、表示画面６７の表示を指示してから所定時間までに、アクセス用識別コードＢＣ１の位置を示す画像６９もしくは処理実体識別コードＢＣ２の位置を示す画像７０の何れかの画像が選択されか否かを判断する（Ｓ１７）。何れかの画像が選択されたと判断した場合（Ｓ１７：ＹＥＳ）、ＣＰＵ３２はステップＳ１９へ進む。一方、表示画面６７の表示を指示してから所定時間までに、何れの画像も選択されなかったと判断した場合（Ｓ１７：ＮＯ）、識別コード実行処理を終了する。
【００２８】
ステップＳ１９では、ＣＰＵ３２は実行前確認を実行する。まず、ユーザがアクセス用識別コードＢＣ１を選択した場合について説明する。ステップＳ１９では、ＣＰＵ３２はアクセス用識別コードＢＣ１をデコードして生成されたデータを解析する。ここで、データは「１２３４５６７０」の数字列であるので、アクセス情報２０１の一部である識別番号であると判断し、識別番号の接頭に「http://aaa/」を、末尾に「.xml」の文字列を付加して、アクセス情報２０１である「http://aaa/12345670.xml」を生成する。尚、付加する文字列は予めＮＶＲＡＭ３５に記憶されている。次に、ＣＰＵ３２はタッチパネル４１に図８に示す表示画面７３を表示させる。表示画面７３には、「識別コード内のアクセス先以下を実行します。」のメッセージと、アクセス先として、アクセス情報２０１「http://aaa/12345670.xml」と、実行ボタン７４と、キャンセルボタン７５とを表示する。表示画面７３が表示されることにより、ユーザは、ＭＦＰ１０が実行しようとしている処理と、アクセスしようとしているアクセス先とを確認することができる。次に、表示画面７３の表示を指示してから所定時間までに実行ボタン７４が選択されたか否かを判断する（Ｓ２１：図６）。ＣＰＵ３２は、表示画面７３の表示を指示してから所定時間までに、実行ボタン７４が選択されたと判断した場合には（Ｓ２１：ＹＥＳ）、ステップＳ２３へ進む。一方、表示画面７３の表示を指示してから所定時間までに、実行ボタン７４が選択されなかったと判断した場合には（Ｓ２１：ＮＯ）、識別コード実行処理を終了する。
【００２９】
ステップＳ２３において、ＣＰＵ３２はまず、アクセス情報２０１が示すサーバ５に「http://aaa/12345670.xml」を提供するように要求する。これに応じて、サーバ５は「http://aaa/12345670.xml」をＭＦＰ１０へ提供する。ＣＰＵ３２はネットワークインターフェース４４が「http://aaa/12345670.xml」を受信すると、「http://aaa/12345670.xml」に従って、表示画面７６（図８）を表示する。「http://aaa/12345670.xml」の処理内容２０２には、図４に示すように、２つの選択肢を画面表示させる指示と、選択肢が選択された場合に、選択された選択肢に応じた宛先にＥメールを送信する、スキャンｔｏＥメールを実行する指示とが含まれている。従って、表示画面７６には「宛先を選択して下さい。」のメッセージと、Ａ社受付選択ボタン７７と、Ｂ事務所選択ボタン７８と、「http://aaaのプログラム実行中」のメッセージとが表示される。次に、Ａ社受付選択ボタン７７もしくはＢ事務所選択ボタン７８の何れかが選択されたと判断すると、選択された宛先に読取画像データを添付したＥメールを送信する処理を実行する。表示画面７９は、Ａ社受付選択ボタン７７が選択された場合に、ＣＰＵ３２が表示を指示する画面である。表示画面７９には「スキャン実行中」「スキャンｔｏＥメール」「宛先：宛先：reception@aaa.co.jp」「http://aaaのプログラム実行中」のメッセージが表示される。プログラムに従った処理が終了すると、識別コード実行処理を終了する。尚、表示画面７６の表示を指示してから所定時間内にＡ社受付選択ボタン７７と、Ｂ事務所選択ボタン７８の何れも選択されなかったと判断した場合、ＣＰＵ３２は識別コード内処理実行処理を終了する。
【００３０】
次に、ユーザが処理実体識別コードＢＣ２を選択した場合のステップＳ１９〜Ｓ２３について説明する。ステップＳ１９において、ＣＰＵ３２は処理実体識別コードＢＣ２をデコードして生成されたデータを解析する。ここで、データは、選択肢の画面表示の指示を含むプログラムであるので、ＣＰＵ３２は、タッチパネル４１に図９に示す表示画面８１を表示させる。表示画面８１には、「識別コード内のプログラムを実行します。」、「プログラム内容：選択肢表示」のメッセージと、実行ボタン８２と、キャンセルボタン８３とが表示される。表示画面８１が表示されることにより、ユーザは、ＭＦＰ１０が実行しようとしている処理を確認することができる。次に、ステップＳ２１では、ＣＰＵ３２は実行ボタン８２が選択されたか否かを判断する。ＣＰＵ３２は、表示画面７３の表示を指示してから所定時間までに、実行ボタン８２が選択されたと判断した場合には（Ｓ２１：ＹＥＳ）、プログラムに従って、表示画面８４（図９）を表示させる。表示画面８４には「宛先を選択して下さい。」のメッセージと、Ａ社受付選択ボタン８５と、Ｂ事務所選択ボタン８６と、「識別コードのプログラム実行中」のメッセージとが表示される。Ａ社受付選択ボタン８５もしくはＢ事務所選択ボタン８６の何れかが選択されたと判断すると、選択された宛先に読取画像データを添付したＥメールを送信する処理を実行する。表示画面８７は、Ａ社受付選択ボタン７７が選択された場合に、ＣＰＵ３２が表示を指示する画面である。表示画面８７には「スキャン実行中」「スキャンｔｏＥメール」「宛先：宛先：reception@aaa.co.jp」「識別コードのプログラム実行中」のメッセージが表示される。プログラムに従った処理が終了すると、ＣＰＵ３２は識別コード実行処理を終了する。
【００３１】
ここで、ＭＦＰ１０は画像処理装置の一例であり、画像読取部３８は読取部の一例であり、画像形成部３７、ＦＡＸ通信部３９、ＵＳＢインターフェース４２、ネットワークインターフェース４４は画像出力部の一例である。ＣＰＵ３２は制御部の一例であり、識別コードキー６６は第１キーの一例であり、スタートキー６５は第２キーの一例である。タッチパネル４１は表示部および報知部の一例である。
【００３２】
また、ステップＳ３はコード検出処理の一例であり、ステップＳ１９はデコード処理および第１判断処理の一例であり、ステップＳ２３は第１出力処理の一例である。ステップＳ１９において、表示画面８１を表示させる処理は、第１表示処理および第１可否指示処理の一例である。ステップＳ１９において、表示画面７３を表示させる処理は、第２表示処理および第２可否指示処理の一例である。ステップＳ１３は第２判断処理の一例である。ステップＳ１５は選択処理の一例である。ステップＳ２５は報知処理の一例である。また、アクセス情報２０１および処理内容２０２を有するプログラムは識別コード情報の一例である。
【００３３】
以上、説明した第１実施形態によれば、以下の効果を奏する。
ＣＰＵ３２は識別コードキー６６の押下に応じた信号が入力されると、図５に示す識別コード処理を開始する。また、スタートキー６５の押下に応じた信号が入力されると、例えばコピー処理などの、読取画像データの後処理を実行する。このため、ユーザは、識別コード処理を実行させたい場合には、識別コードキー６６を押下すれば良い。識別コード処理を実行させたいユーザの意思を速やかに反映しやすいＭＦＰ１０とすることができる。
【００３４】
また、操作パネル１２の表面には、スタートキー６５からの距離がスタートキー６５の径よりも短くなる位置に、「スタート」の文字が記載されている。また、操作パネル１２の表面には、識別コードキー６６からの距離が識別コードキー６６の径よりも短くなる位置に、「識別コード」の文字が記載されている。これにより、ユーザは、キーの識別を容易に識別することができる。
【００３５】
また、識別コード処理の対象となる識別コードには、アクセス用識別コードＢＣ１と処理実体識別コードＢＣ２とがある。アクセス用識別コードＢＣ１の場合、プログラムよりも情報量を少なくすることができる。処理実体識別コードＢＣ２の場合、例えばサーバ５などへアクセスすることなく、プログラムを取得することができる。
【００３６】
また、ＣＰＵ３２は、ステップＳ１９において、処理実体識別コードＢＣ２がデコードされて生成された情報が、プログラムである場合には、表示画面８１を表示する。ＣＰＵ３２は、ステップＳ１９において、アクセス用識別コードＢＣ１がデコードされて生成された情報が、識別番号である場合には、表示画面７３を表示する。これにより、ユーザはアクセス用識別コードＢＣ１および処理実体識別コードＢＣ２を見ただけでは内容がわからないが、ＭＦＰ１０が実行しようとしている処理を確認することができる。また、ユーザは、アクセスもしくはプログラムの実行をＭＦＰ１０に実行させるか否かを選択することができる。
【００３７】
また、ＣＰＵ３２は、ステップＳ１３にて、検出した識別コードが複数である場合、ステップＳ１５を実行する。これにより、ユーザは、複数の識別コードの何れかを選択することができる。
【００３８】
また、ＣＰＵ３２は、ステップＳ１１にてＮＯと判断した場合、ステップＳ２５を実行する。これにより、ユーザは、識別コード処理が実行できないことを知ることができる。
【００３９】
［第１実施形態の変形例１］
次に、第１実施形態の変形例１について説明する。上記では、図２において、スタートキー６５と識別コードキー６６とを同じ形状として示したが、キーの態様はこれに限定されない。スタートキー６５と識別コードキー６６とを異なる態様とすると良い。例えば、スタートキー６５の色を青色に対して、識別コードキー６６をオレンジ色とするなど、色を異なるようにしても良いし、互いに異なる形状としても良い。この構成によれば、ユーザは、キーの識別を容易に行うことができる。
【００４０】
［第１実施形態の変形例２］
次に、第１実施形態の変形例２について説明する。上記では、ステップＳ１５において、検出した識別コードの位置を表示（図７）して選択させると説明したが、図１０に示すように、識別コードの内容を表示して選択させる構成としても良い。詳しくは、Ｓ１５にて、検出した識別コードをデコードし、内容を判断する（第３判断処理の一例）。デコードして生成されたデータが数字列であれば、アクセス情報２０１であると判断し、アクセス情報２０１に応じた選択ボタンを表示させ、デコードして生成されたデータがプログラムであれば、コマンドの内容に応じた選択ボタンを表示させ、何れかの選択を促す（選択処理の一例）。例えば、原稿２００の場合には、ＣＰＵ３２は表示画面９１を表示させる。表示画面９１には、「http://aaa/12345670.xmlへアクセス」ボタン９２および「スキャンｔｏＥメール」ボタン９３が表示される。
【００４１】
この構成によれば、ユーザは、アクセス用識別コードＢＣ１および処理実体識別コードＢＣ２を見ただけでは内容がわからないが、表示画面９１を見ることにより、各々の識別コードの内容を確認して、アクセス用識別コードＢＣ１および処理実体識別コードＢＣ２の何れかを選択することができる。
【００４２】
［第２実施形態］
第２実施形態に係るＭＦＰ１０は第１実施形態に係るＭＦＰ１０と同様の構造を備えており、識別コード処理の内容が異なる。第２実施形態に係る識別コード処理について、原稿２００を例に説明する。
【００４３】
識別コード処理を実行させたい場合、ユーザは、識別コードキー６６（図２）を押下する。第１実施形態と同様に、ＣＰＵ３２は識別コードキー６６が押下されたと判断すると、図１１に示す識別コード処理を開始する。まず、ＣＰＵ３２は、識別コード探索領域（識別コード検出領域の一例）が固定であるか否かを判断する（Ｓ３１）。第２実施形態に係るＭＦＰ１０では、予め、識別コード探索領域を固定とするか可変とするかは設定されている。識別コード探索領域が固定である場合、ＣＰＵ３２は規定の探索領域（識別コード検出位置の一例）に対して識別コード探索処理を実行する。一方、識別コード探索領域が可変である場合、ＣＰＵ３２はユーザに探索領域を選択させ、選択された探索領域に対して、識別コード探索処理を実行する。
【００４４】
識別コード探索領域が固定であると判断すると（Ｓ３１：ＹＥＳ）、図１２に示す表示画面９５を表示させる（Ｓ３３）。表示画面９５には「識別コードが下記部分に収まるように配置して下さい。」のメッセージと、原稿を示す画像９６と、メッセージの「下記部分」である、規定の探索領域を示す画像９７と、ＯＫボタン９８（開始キーの一例）とを表示する。ユーザインターフェース４０はＯＫボタン９８が選択されると、ＯＫボタン９８が選択されたことに応じた信号（開始指示の一例）をＣＰＵ３２へ出力する。次に、表示画面９５を表示してから所定時間までに、ＯＫボタン９８が選択されたか否かを判断する（Ｓ３５）。ＣＰＵ３２は、ＯＫボタン９８が選択されたことに応じた信号が入力されると、ＯＫボタン９８が選択されたと判断する。ＯＫボタン９８が選択されたと判断すると（Ｓ３５：ＹＥＳ）、規定の探索領域を、識別コード探索領域としてＲＡＭ３３に記憶させ（Ｓ３７）、ステップＳ３９へ進む。一方、ＯＫボタン９８が選択されなかったと判断すると（Ｓ３５：ＮＯ）、ＣＰＵ３２は、原稿の全領域を探索領域としてＲＡＭ３３に記憶させ、ステップＳ３９へ進む。
【００４５】
一方、識別コード探索領域が固定でないと判断すると（Ｓ３１：ＮＯ）、図１３に示す表示画面１００を表示させる（Ｓ４５）。表示画面１００には「識別コードのある領域を選択して下さい。」のメッセージと、原稿を示す画像１０１と、各々が、原稿が４分割されて生成された領域である、４つの選択領域の各々を示す画像１０２とが表示される。次に、表示画面１００の表示を指示してから所定時間までに、４つの選択領域を示す画像１０２の何れかが選択されたか否かを判断する（Ｓ４７）。４つの選択領域を示す画像１０２の何れかが選択されたと判断すると（Ｓ４７：ＹＥＳ）、選択された選択領域を識別コード探索領域として受け付け、選択された選択領域を識別コード探索領域としてＲＡＭ３３に記憶させ（Ｓ３７）、ステップＳ３９へ進む。一方、４つの選択領域を示す画像１０２の何れも選択されなかったと判断すると（Ｓ４７：ＮＯ）、原稿の全領域を識別コード探索領域としてＲＡＭ３３に記憶させ、ステップＳ３９へ進む。
【００４６】
ステップＳ３９では、第１実施形態のステップＳ１と同様に、画像読取部３８に画像読取を実行させる（Ｓ３９）。次に、ＲＡＭ３３に記憶されている識別コード探索領域に対して、第１実施形態のステップＳ３と同様に、識別コードを探索する（Ｓ４１）。次に、上記の識別コード実行処理を実行し（Ｓ４３）、処理を終了する。
【００４７】
以上、説明した第２実施形態によれば、以下の効果を奏する。
また、ＣＰＵ３２はステップＳ３１でＮＯと判断した場合、表示画面１００を表示させて、識別コードを探索する領域を、ユーザに選択させ、選択された領域を識別コード探索領域として受け付ける。これにより、原稿の全域ではなく、限定された領域に対して識別コードを探索することができるので、効率良く、識別コードを探索することができる。また、ユーザにおける原稿の原稿台への配置方向の自由度を向上させることができる。
【００４８】
ＣＰＵ３２はステップＳ３１でＹＥＳと判断した場合、表示画面９５を表示させて、ユーザに予め設定された、規定の探索領域に識別コードを収めるように促す。これにより、原稿の全域ではなく、規定の探索領域に対して識別コードを探索することができるので、効率良く、識別コードを探索することができる。
【００４９】
［第３実施形態］
第３実施形態に係るＭＦＰは、操作パネル１１２の構成が第１実施形態とは異なる。図１４に示すように、第３実施形態に係るＭＦＰが備える操作パネル１１２は、タッチパネル１４１、メニューキー１６２、コピーキー１６３、テンキー１６４、スタートキー１６５などの操作キーを有している。また、タッチパネル１４１にはコピーボタン１６６、ファックスボタン１６７、およびスキャナボタン１６８が表示される。
【００５０】
また、第３実施形態に係るＭＦＰの、電気的構成は第１実施形態と同様である。ユーザインターフェース４０は、上記の各キーが押下されると、押下されてことに応じた信号をＣＰＵ３２へ出力する。同様に、タッチパネル１４１に表示している各ボタンが選択されると、選択されたことに応じた信号をＣＰＵ３２へ出力する。ＣＰＵ３２は、信号が入力されると、対応するフラグをＲＡＭ３３に記憶させる。例えば、コピーボタン１６６が選択されたことに応じた信号が入力されると、コピーボタン１６６が選択されたことを示すフラグをＲＡＭ３３に記憶させる。また、信号が入力されてから、所定時間までに、スタートキー１６５が押下されたことに応じた信号が入力されなかった場合には、ＲＡＭ３３に記憶されているフラグを消去する。また、信号が入力されてから、所定時間までに、メニューキー１６２が押下されたことに応じた信号が入力された場合にもＲＡＭ３３に記憶されているフラグを消去する。ＣＰＵ３２はスタートキー１６５が押下されたことに応じた信号が入力されると、ＲＡＭ３３にフラグが記憶されているか否かを判断する。ＣＰＵ３２は、フラグが記憶されていると判断した場合には、操作パネル１１２を介した信号が入力されている間にスタートキー１６５を介した信号が入力されたので、フラグに対応した処理を実行する。一方、ＲＡＭ３３にフラグが記憶されていないと判断した場合には、操作パネル１１２を介した信号が未入力である間にスタートキー１６５を介した信号が入力されたので、ＣＰＵ３２は識別コード処理を実行する。
【００５１】
ここで、操作パネル１１２は操作部の一例であり、スタートキー１６５はーの一例である。画像形成部３７は印刷部の一例であり、ネットワークインターフェース４４は送信部の一例であり、タッチパネル１４１はタッチパネルの一例である。また、コピーボタン１６６はコピーを実行する第１設定を示す情報の一例であり、ファックスボタン１６７読取部に読み取らせて生成される画像データを機器に送信する第２設定を示す情報の一例である。
【００５２】
以上、説明した第３実施形態によれば、以下の効果を奏する。
操作パネル１１２を介した信号が未入力である間にスタートキー１６５を介した信号が入力されると、識別コード処理を実行する。このため、ユーザは、識別コード処理を実行させたい場合には、スタートキー１６５を押下すれば良い。識別コード処理を実行させたいユーザの意思を速やかに反映しやすいＭＦＰ１０とすることができる。
【００５３】
［識別コード内容の変形例］
上記では、図４において、処理実体識別コードＢＣ２の処理内容２０２を例示したが、これに限定されない。処理内容２０２では、プログラムにアクセス情報が記載されていない例を示したが、アクセス情報が記載されている内容であっても良い。図１５を用いて説明する。
【００５４】
処理内容３０１は、処理実体識別コードＢＣ２がデコードされて生成されるＸＬＭで記述されたプログラムの内容を示している。処理内容３０１には次の処理としてアクセス情報３０２が指定されている。ここで、アクセス情報３０２はサーバ５が保有するデータであるものとする。この場合、ステップＳ２３（図６）において、ＣＰＵ３２は処理内容３０１に従った表示画面を表示させた後、選択肢に対応する選択ボタンが選択されたと判断すると、選択された選択肢を含む情報を、アクセス情報３０２に指定されているアクセス先であるサーバ５へ送信する。サーバ５は、選択肢を含む情報を受信すると、選択肢に対応するコマンドが記載されたＸＭＬで記述されたプログラムをＭＦＰ１０に対して送信する。ここで、送信されるプログラムの内容が図１５に示す処理内容３０３であるものとする。ＭＦＰ１０は受信したプログラムに従って、後処理を実行する。この構成によれば、処理実体識別コードＢＣ２の情報を少なくすることができる。
【００５５】
［変形例］
尚、本発明は前記実施形態に限定されるものではなく、本発明の趣旨を逸脱しない範囲内での種々の改良、変更が可能であることは言うまでもない。
例えば、上記では、アクセス情報で特定されるメモリの一例として、サーバ５が備えるメモリを例示したが、これに限定されない。ＮＶＲＡＭ３５であっても良い。
【００５６】
また、アクセス用識別コードＢＣ１および処理実体識別コードＢＣ２として、夫々、１次元コードおよびＱＲコードを例示したが、識別コードの種類を限定するものではない。例えば、アクセス用識別コードＢＣ１を２次元コードとしても良い。
【００５７】
また、第２実施例の識別コード処理において、画像読取（Ｓ３９）の実行前のステップＳ４５にて、表示画面１００を表示して、ユーザに選択させると説明したが、ステップＳ４５を画像読取（Ｓ３９）の実行後に行う構成としても良い。
【００５８】
上記では、画像処理装置の一例として、ＭＦＰ１０を例示したが、これに限定されない。複数の機能を有する装置ではなく、例えば、コピー機能を備えるプリンタなどにも適用することができる。
【符号の説明】
【００５９】
１０  ＭＦＰ
１１  筐体
１２、１１２  操作パネル
３２  ＣＰＵ
３７  画像形成部
３８  画像読取部
３９  ＦＡＸ通信部
４１、１４１  タッチパネル
４２  ＵＳＢインターフェース
４４  ネットワークインターフェース
６５、１６５  スタートキー
６６  識別コードキー
１６６  コピーボタン
１６７  ファックスボタン
【図１】
2018170566.tif 000003
【図２】
2018170566.tif 000004
【図３】
2018170566.tif 000005
【図４】
2018170566.tif 000006
【図５】
2018170566.tif 000007
【図６】
2018170566.tif 000008
【図７】
2018170566.tif 000009
【図８】
2018170566.tif 000010
【図９】
2018170566.tif 000011
【図１０】
2018170566.tif 000012
【図１１】
2018170566.tif 000013
【図１２】
2018170566.tif 000014
【図１３】
2018170566.tif 000015
【図１４】
2018170566.tif 000016
【図１５】
2018170566.tif 000017